(57)【要約】      （修正有）【課題】内部の洗浄を容易にできるとともに、内部の洗浄後は、早く自然乾燥する冷水筒を提供する。【解決手段】冷水筒は、蓋体２と第一容器３と第二容器４を有する。蓋体２は、上端に注出口２ａと蓋栓２ｂを有し、下端に蓋体下端側係止部２ｃと蓋体下端側係合手段２ｄを有する。第一容器３は、上端に第一容器上端側係合手段３ａと第一容器上端側係止部３ｂを有し、下端に第一容器下端側係止部３ｃと第一容器下端側係合手段３ｄを有する。第二容器４は、上端に第二容器上端側係合手段４ａと第二容器上端側係止部４ｂを有し、下端に底面４ｃを有する。【選択図】図２
2012110357.tif 000002
【特許請求の範囲】
【請求項１】
水、お茶、ジュースなどを保存するための冷水筒であって、
上縁に注出口と蓋栓を有し、下端に蓋体下端側係止部と蓋体下端側係合手段を有する蓋体と、
上端に第一容器上端側係合手段と第一容器上端側係止部を有し、下端に第一容器下端側係止部と第一容器下端側係合手段を有する第一容器と、
上端に第二容器上端側係合手段と第二容器上端側係止部を有し、下端に底面を有する第二容器と、
を有し、                                
前記蓋体の下に前記第一容器は設置され、前記蓋体と前記第一容器は、前記蓋体下端側係合手段と前記第一容器上端側係合手段を係着することによって係合され、
前記第一容器の下に前記第二容器は設置され、前記第一容器と前記第二容器は、前記第一容器下端側係合手段と前記第二容器上端側係合手段を係着することによって係合されることを特徴とする冷水筒。
【請求項２】
前記蓋体は略円筒形の形状を有しており、
前記第一容器は円筒形の形状を有しており、
前記第二容器は円筒形の形状を有していることを特徴とする請求項１に記載の冷水筒。
【請求項３】
前記蓋体下端側係合手段は外嵌部材であり、
前記第一容器上端側係合手段は内嵌部材であり、
前記第一容器下端側係合手段はねじ部材であり、
前記第二容器上端側係合手段はねじ部材であることを特徴とする請求項１、あるいは、請求項２に記載の冷水筒。
【請求項４】
前記蓋体下端側係合手段はねじ部材であり、
前記第一容器上端側係合手段はねじ部材であり、
前記第一容器下端側係合手段はねじ部材であり、
前記第二容器上端側係合手段はねじ部材であることを特徴とする請求項１、あるいは、請求項２に記載の冷水筒。
【請求項５】
前記蓋体下端側係止部、前記第一容器上端側係止部、前記第一容器下端側係止部、前記第二容器上端側係止部のうちの少なくとも１つにゴムパッキンが設置されていることを特徴とする請求項１、ないしは、請求項３のうちの１つに記載の冷水筒。
【請求項６】
前記第一容器、あるいは、前記第二容器のうちの少なくとも１つに取っ手が設置されていることを特徴とする請求項１、ないしは、請求項５のうちの１つに記載の冷水筒。
【請求項７】
水、お茶、ジュースなどを保存するための冷水筒の容器であって、
請求項１、ないしは、請求項６のうちの１つに記載の第一容器と、
請求項１、ないしは、請求項６のうちの１つに記載の第二容器と、
を有し、
請求項１、ないしは、請求項６のうちの１つに記載の第一容器の下に請求項１、ないしは、請求項６のうちの１つに記載の第二容器は設置され、
請求項１、ないしは、請求項６のうちの１つに記載の第一容器と請求項１、ないしは、請求項６のうちの１つに記載の第二容器は、前記第一容器下端側係合手段と前記第二容器上端側係合手段を係着することによって係合されることを特徴とする冷水筒の容器。
【請求項８】
請求項１、ないしは、請求項７のうちの１つに記載の第一容器。
【請求項９】
請求項１、ないしは、請求項７のうちの１つに記載の第二容器。
【発明の詳細な説明】
【技術分野】
【０００１】
本発明は、容易に洗浄することができる飲料水やお茶やジュースなどを注入して保存するための冷水筒に関する。
【背景技術】
【０００２】
冷水筒に飲料水やお茶やジュースなどを注入して保存しておくことは多い。
冷水筒は、飲料水やお茶やジュースなどの注入口を有する蓋体と蓋体の下部に設置され、蓋体と係合する飲料水やお茶やジュースなどを貯蔵するため冷水筒の容器によって構成されている。また、冷水筒は、一般的には、蓋体と冷水筒の容器に分離することができる。
【０００３】
冷水筒に飲料水やお茶やジュースなどを注入して保存すると、冷水筒に飲料水やお茶やジュースなどによる汚れが付く。
また、飲料水やお茶やジュースなどによる汚れは、特に冷水筒の容器の底面や底面の近くに付くことが多い。                                     
しかし、冷水筒の容器に付いた飲料水やお茶やジュースなどによる汚れは、スポンジ等でふき取れば、容易に取り除くことができる。
【０００４】
背景技術には、特許文献１に示す冷水筒がある。
【０００５】
特許文献１に示す冷水筒は、ガラス容器の開口部の断面積は大きいので、ガラス容器の開口部の近傍の洗浄は容易である。
しかし、ガラス容器の開口部からガラス容器の底面までは距離があるので、底面の洗浄には手間がかかり、また、洗浄後にガラス容器の底面まで乾燥させるには時間がかかる。
【０００６】
【特許文献１】特許公開平８−１１７１１６公報
【発明の開示】
【発明が解決しようとする課題】
【０００７】
本発明は、内部の洗浄を容易することができるようにするとともに、内部の洗浄後は、早く自然乾燥することができる冷水筒を提供することを目的とする。
【課題を解決するための手段】
【０００８】
かかる目的を達成するために本発明の冷水筒は、蓋体と第一容器と第二容器で構成される。
【０００９】
蓋体は、略円筒形の形状を有している。
ただし、蓋体の形状は、略四角柱形などのありとあらゆる形状がある。
蓋体は、プラスチック、合成樹脂、シリコン、鉄、アルミニウム、ステンレスなどで形成されている。
蓋体は、上端に注出口と蓋栓を有し、下端に蓋体下端側係止部と蓋体下端側係合手段を有する。
注出口は、水、お茶、ジュースなどを注出するための開口部である。
注出口には、水漏れや冷水筒にほこりなどが入るのを防止するために、注出口の上部に蓋栓が設けられている。
注出口は、蓋栓を取り外したり、動かせば蓋体の上縁に現れる。
蓋体下端側係合手段は、嵌合部材、あるいは、ねじ部材のうちのいずれか一つである。
嵌合部材には、外嵌部材と内嵌部材がある。
このため、蓋体下端側係合手段が嵌合部材である際には、蓋体下端側係合手段は、外嵌部材、あるいは、内嵌部材のうちのいずれか一つである。
ねじ部材には、雄ねじ部材と雌ねじ部材がある。
このため、蓋体下端側係合手段がねじ部材である際には、蓋体下端側係合手段は、雄ねじ部材、あるいは、雌ねじ部材のうちのいずれか一つである。
蓋体下端側係止部には、水漏れを防止するためのパッキンを設置してもよい。
パッキンは、ゴム、合成樹脂のうちのいずれか一つで形成されている。
【００１０】
第一容器は、円筒形の形状を有している。
ただし、第一容器は、四角柱形などのありとあらゆる形状がある。
第一容器は、上端に第一容器上端側係合手段と第一容器上端側係止部を有し、下端に第一容器下端側係止部と第一容器下端側係合手段を有する。
第一容器上端側係合手段は、嵌合部材、あるいは、ねじ部材である。
嵌合部材には、外嵌部材と内嵌部材がある。
このため、第一容器上端側係合手段が嵌合部材である際には、第一容器上端側係合手段は、外嵌部材、あるいは、内嵌部材のうちのいずれか一つである。
ねじ部材には、雄ねじ部材と雌ねじ部材がある。
このため、第一容器上端側係合手段がねじ部材である際には、第一容器上端側係合手段は、雄ねじ部材、あるいは、雌ねじ部材のうちのいずれか一つである。
第一容器下端側結合手段は、ねじ部材である。
ねじ部材には、雄ねじ部材と雌ねじ部材がある。
このため、第一容器下端側係合手段は、雄ねじ部材、あるいは、雌ねじ部材のうちのいずれか一つである。
第一容器上端側係止部には、水漏れを防止するためのパッキンを設置してもよい。
第一容器下端側係止部にも、水漏れを防止するためのパッキンを設置してもよい。
第一容器の側面には、取っ手を設置してもよい。
【００１１】
第二容器は、円筒形の形状を有している。
ただし、第二容器の形状は、四角柱形などのありとあらゆる形状がある。
第二容器は、上端に第二容器上端側係合手段と第二容器上端側係止部を有し、下端に底面を有する。
第二部材上端側係合手段は、ねじ部材である。
ねじ部材には、雄ねじ部材と雌ねじ部材がある。
このため、第二容器上端側係合手段は、雄ねじ部材、あるいは、雌ねじ部材のうちのいずれか一つである。
第二容器上端側係止部には、水漏れを防止するためのパッキンを設置してもよい。
第二容器の側面には、取っ手を設置してもよい。
【００１２】
第一容器は、蓋体の下に設置され、蓋体と第一容器は、蓋体下端側係合手段と第一容器上端側係合手段を係着することによって係合される。
蓋体下端側係合手段と第一容器上端側係合手段は、嵌合、あるいは、螺合することによって係着する。
第二容器は、第一容器の下に設置され、第一容器と第二容器は、第一容器下端側係合手段と第二容器上端側係合手段を係着することによって係合される。
第一容器下端側係合手段と第二容器上端側係合手段は、螺合することによって係着する。
【００１３】
蓋体下端側係合手段と第一容器上端側係合手段が嵌合部材である際には、蓋体下端側係合手段と第一容器上端側係合手段を嵌合させるために、蓋体下端側係合手段が外嵌部材である際には第一容器上端側係合手段はこの外嵌部材と嵌合する内嵌部材であり、蓋体下端側係合手段が内嵌部材である際には、第一容器上端側係合手段はこの内嵌部材と嵌合する外嵌部材でなければならない。
蓋体下端側係合手段と第一容器上端側係合手段がねじ部材である際には、蓋体下端側係合手段と第一容器上端側係合手段を螺合させるために、蓋体下端側係合手段が雌ねじ部材である際には第一容器上端側係合手段はこの雌ねじ部材と螺合する雄ねじ部材であり、蓋体下端側係合手段が雄ねじ部材である際には、第一容器上端側係合手段はこの雄ねじ部材と螺合する雌ねじ部材でなければならない。
第一容器下端側係合手段と第二部材上端側係合手段を係着させるために、第一容器下端側係合手段が雌ねじ部材である際には第二部材上端側係合手段はこの雌ねじ部材と螺合する雄ねじ部材であり、第一容器下端側係合手段が雄ねじ部材である際には第二部材上端側係合手段はこの雄ねじ部材と螺合する雌ねじ部材でなければならない。
【発明の効果】
【００１４】
本発明の冷水筒は、冷水筒の容器を第一容器と第二容器に分離すれば、冷水筒の容器の底面や底面の近くに付いた飲料水やお茶やジュースなどによる汚れはスポンジ等で容易に拭き取ることができる。
本発明の冷水筒は、冷水筒を蓋体と第一容器と第二容器に分離すれば、洗浄後に早く蓋体と第一容器と第二容器を乾燥させることができる。
【発明を実施するための最良の形態】
【００１５】
図面に基づいて本発明を実施するための最良の形態を説明する。
【実施例１】
【００１６】
実施例１の冷水筒１は、図１、図２(ａ)、(ｂ)、(ｃ)、図３、図４(ａ)、(ｂ)、(ｃ)に示すように、蓋体２と第一容器３と第二容器４で構成される。
【００１７】
蓋体２は、図１、図２(ａ)、図３、図４(ａ)に示すように、略円筒形の形状を有している。
ただし、蓋体２の形状は、略四角柱形などのありとあらゆる形状がある。
蓋体２は、プラスチック、合成樹脂、シリコン、鉄、アルミニウム、ステンレスのうちのいずれか一つで形成されている。
蓋体２は、図１、図２(ａ)、図３、図４(ａ)に示すように、上端に注出口２ａと蓋栓２ｂを有し、下端に蓋体下端側係止部２ｃと蓋体下端側係合手段２ｄを有する。
注出口２ａは、図１、図２(ａ)、図３、図４(ａ)に示すように、水、お茶、ジュースなどを注出するための開口部である。
注出口２ａには、図１、図２(ａ)、図３、図４(ａ)に示すように、水漏れや冷水筒１にほこりなどが入るのを防止するために、注出口２ａの上部に蓋栓２ｂが設けられている。
注出口２ａは、蓋栓２ｂを取り外したり、動かせば蓋体２の上縁に現れる。
蓋体下端側係合手段２ｄは、図１，図２(ａ)、図３、図４(ａ)に示す嵌合部材、あるいは、図５、図６(ａ)に示すねじ部材のうちのいずれか一つである。
嵌合部材には、外嵌部材と内嵌部材がある。
このため、蓋体下端側係合手段２ｄが嵌合部材である際には、蓋体下端側係合手段２ｄは、外嵌部材、あるいは、内嵌部材のうちのいずれか一方である。
ねじ部材には、雄ねじ部材と雌ねじ部材がある。
このため、蓋体下端側係合手段２ｄがねじ部材である際には、蓋体下端側係合手段２ｄは、雄ねじ部材、あるいは、雌ねじ部材のうちのいずれか一つである。
図１、図２(ａ)、(ｂ)、(ｃ)、図３、図４(ａ)、(ｂ)、(ｃ)では、蓋体下端側係合手段２ｄは外嵌部材であるが、蓋体下端側係合手段２ｄは内嵌部材である場合もある。
図５、図６(ａ)では、蓋体下端側係合手段２ｄは雌ねじ部材であるが、蓋体下端側係合手段２ｄは雄ねじ部材である場合もある。
蓋体下端側係止部２ｃには、図７、図８(ａ)に示すように、水漏れを防止するためのパッキン６を配置してもよい。
パッキン６は、ゴム、合成樹脂のうちのいずれか一つで形成されている。
【００１８】
第一容器３は、図１、図２(ｂ)、図３、図４(ｂ)に示すように、円筒形の形状を有している。
ただし、第一容器３の形状は、四角柱形などのありとあらゆる形状がある。
第一容器３は、プラスチック、合成樹脂、シリコン、鉄、アルミニウム、ステンレスのうちのいずれか一つで形成されている。
第一容器３は、図１、図２(ｂ)、図３、図４(ｂ)に示すように、上端に第一容器上端側係合手段３ａと第一容器上端側係止部３ｂを有し、下端に第一容器下端側係止部３ｃと第一容器下端側係合手段３ｄを有する。
第一容器上端側係合手段３ａは、図１，図２(ｂ)、図３、図４(ｂ)に示す嵌合部材、あるいは、図５、図６(ｂ)に示すねじ部材のうちのいずれか一つである。
嵌合部材には、外嵌部材と内嵌部材がある。
このため、第一容器上端側係合手段３ａが嵌合部材である際には、第一容器上端側係合手段３ａは、外嵌部材、あるいは、内嵌部材のうちのいずれか一つである。
ねじ部材には、雄ねじ部材と雌ねじ部材がある。
このため、第一容器上端側係合手段３ａがねじ部材である際には、第一容器上端側係合手段３ａは、雄ねじ部材、あるいは、雌ねじ部材のうちのいずれか一つである。
図１、図２(ｂ)、図３、図４(ｂ)では、第一容器上端側係合手段３ａは内嵌部材であるが、第一容器上端側係合手段３ａは外嵌部材である場合もある。
図５、図６(ｂ)では、第一容器上端側係合手段３ａは雄ねじ部材であるが、第一容器上端側係合手段３ａは雌ねじ部材である場合もある。
第一容器下端側係合手段３ｄは、図１，図２(ｂ)、図３、図４(ｂ)に示すねじ部材である。
ねじ部材には、雄ねじ部材と雌ねじ部材がある。
このため、第一容器下端側係合手段３ｄは、雄ねじ部材、あるいは、雌ねじ部材のうちのいずれか一つである。
図１、図２(ｂ)、図３、図４(ｂ)では、第一容器下端側係合手段３ｄは雌ねじ部材であるが、第一容器下端側係合手段３ｄは雄ねじ部材である場合もある。
第一容器３の第一容器上端側係止部３ｂには、図７、図８(ｂ)に示すように、水漏れを防止するためのパッキン６を配置してもよい。
第一容器下端側係止部３ｃにも、図７、図８(ｂ)に示すように、水漏れを防止するためのパッキン６を配置してもよい。
図７、図８(ｂ)では、第一容器上端側係合手段３ａは、嵌合部材であるが、第一容器上端側係合手段３ａは、ねじ部材であってもよい。
図７、図８(ｂ)では、第一容器上端側係止部３ｂと第一容器下端側係止部３ｃの両方にパッキン６が配置されているが、第一容器上端側係止部３ｂ、あるいは、第一容器下端側係止部３ｃのうちの少なくとも一方にパッキン６を設置してもよい。
第一容器３の側面には、図９、図１０(ａ)(ｂ)(ｃ)、図１１、図１２(ａ)(ｂ)(ｃ)に示すように、取っ手７を設置してもよい。
図９、図１０(ｂ)、図１１、図１２(ｂ)では、第一容器上端側係合手段３ａは嵌合部材であるが、第一容器上端側係合手段３ａはねじ部材であってもよい。
図９、図１０(ｂ)、図１１、図１２(ｂ)では、第一容器上端側係止部３ｂと第一容器下端側係止部３ｃには、パッキン６は設置されてはいないが、取っ手７が側面に設置されている第一容器３の第一容器上端側係止部３ｂ、あるいは、第一容器下端側係止部３ｃのうちの少なくとも一方にパッキン６を設置してもよい。
【００１９】
第二容器４は、図１、図２(ｃ)、図３、図４(ｃ)に示すように、円筒形の形状を有している。
ただし、第二容器４の形状は、四角柱形などのありとあらゆる形状がある。
第二容器４は、プラスチック、合成樹脂、シリコン、鉄、アルミニウム、ステンレスのうちのいずれか一つで形成されている。
第二容器４は、図１、図２(ｃ)、図３、図４(ｃ)に示すように、上端に第二容器上端側係合手段４ａと第二容器上端側係止部４ｂを有し、下端に底面４ｃを有する。
第二部材上端側係合手段４ａは、図１、図２(ｃ)、図３、図４(ｃ)に示すように、ねじ部材である。
また、ねじ部材には、雄ねじ部材と雌ねじ部材がある。
このため、第二容器下端側結合手段４ａは、雄ねじ部材、あるいは、雌ねじ部材のうちのいずれか一つである。
図１、図２(ｃ)、図３、図４(ｃ)では、第二部材上端側係合手段４ａが雄ねじ部材であるが、第二部材上端側係合手段４ａは雌ねじ部材である場合もある。
第二容器４の側面には、図９、図１０(ｃ)、図１１、図１２(ｃ)に示すように、取っ手７を設置してもよい。
図９、図１０(ｃ)、図１１、図１２(ｃ)では、第二部材上端側係合手段４ａが雄ねじ部材であるが、第二部材上端側係合手段４ａは雌ねじ部材である場合もある。
図９、図１０(ｃ)、図１１、図１２(ｃ)では、第二容器上端側係止部４ｂには、パッキン６は設置されていないが、取っ手７が側面に設置されている第二容器４の第二容器上端側係止部４ｂには、パッキン６を設置してもよい。
【００２０】
第一容器３は、図１、図３、図５、図７、図９、図１１に示すように、蓋体２の下に設置され、蓋体２と第一容器３は、蓋体下端側係合手段２ｄと第一容器上端側係合手段３ａを係着することによって係合される。
蓋体下端側係合手段２ｄと第一容器上端側係合手段３ａは、図１、図３、図７、図１１に示すように嵌合することによって係着するか、図５、図９に示すように螺合することによって係着する。
第二容器４は、図１、図３、図５、図７、図９、図１１に示すように、第一容器３の下に設置され、第一容器３と第二容器４は、第一容器下端側係合手段３ｄと第二容器上端側係合手段４ａを係着することによって係合される。
第一容器下端側係合手段３ｄと第二容器上端側係合手段４ａは、螺合することによって係着する。
【００２１】
蓋体下端側係合手段２ｄと第一容器上端側係合手段３ａが嵌合部材である際には、蓋体下端側係合手段２ｄと第一容器上端側係合手段３ａを嵌合させるために、蓋体下端側係合手段が外嵌部材である際には第一容器上端側係合手段３ａはこの外嵌部材と嵌合する内嵌部材であり、蓋体下端側係合手段２ｄが内嵌部材である際には、第一容器上端側係合手段３ａはこの内嵌部材と嵌合する外嵌部材でなければならない。
蓋体下端側係合手段２ｄと第一容器上端側係合手段３ａがねじ部材である際には、蓋体下端側係合手段２ｄと第一容器上端側係合手段３ａを螺合させるために、蓋体下端側係合手段２ｄが雌ねじ部材である際には第一容器上端側係合手段３ａはこの雌ねじ部材と螺合する雄ねじ部材であり、蓋体下端側係合手段２ｄが雄ねじ部材である際には、第一容器上端側係合手段３ａはこの雄ねじ部材と螺合する雌ねじ部材でなければならない。
第一容器下端側係合手段３ｄと第二部材上端側係合手段４ａを螺合させるために、第一容器下端側係合手段３ｄが雌ねじ部材である際には第二部材上端側係合手段４ａは、この雌ねじ部材と螺合する雄ねじ部材であり、第一容器下端側係合手段３ｄが雄ねじ部材である際には第二部材上端側係合手段４ａは、この雄ねじ部材と螺合する雌ねじ部材でなければならない。
【実施例２】
【００２２】
実施例２の冷水筒の容器５は、図１３、図１４(ａ)、(ｂ)に示すように、第一容器３と第二容器４で構成される。
【００２３】
第一容器３は、図１３、図１４(ａ)に示すように、円筒形の形状を有している。
ただし、第一容器３の形状は、四角柱形などのありとあらゆる形状がある。
第一容器３は、プラスチック、合成樹脂、シリコン、鉄、アルミニウム、ステンレスのうちのいずれか一つで形成されている。
第一容器３は、図１３、図１４(ａ)に示すように、上端に第一容器上端側係合手段３ａと第一容器上端側係止部３ｂを有し、下端に第一容器下端側係止部３ｃと第一容器下端側係合手段３ｄを有する。
第一容器上端側係合手段３ａは、図１３、図１４(ａ)では嵌合部材であるが、ねじ部材である場合がある。
嵌合部材には、外嵌部材と内嵌部材がある。
このため、第一容器上端側係合手段３ａが嵌合部材である際には、第一容器上端側係合手段３ａは、外嵌部材、あるいは、内嵌部材のうちのいずれか一つである。
ねじ部材には、雄ねじ部材と雌ねじ部材がある。
このため、第一容器上端側係合手段３ａがねじ部材である際には、第一容器上端側係合手段３ａは、雄ねじ部材、あるいは、雌ねじ部材のうちのいずれか一つである。
図１３、図１４(ａ)では、第一容器上端側係合手段３ｄは内嵌部材であるが、第一容器下端側係合手段３ｄは外嵌部材である場合もある。
第一容器下端側係合手段３ｄは、図１３、図１４(ａ)に示すねじ部材である。
ねじ部材には、雄ねじ部材と雌ねじ部材がある。
このため、第一容器下端側係合手段３ｄは、雄ねじ部材、あるいは、雌ねじ部材のうちのいずれか一つである。
図１３、図１４(ａ)では、第一容器下端側係合手段３ｄは雌ねじ部材であるが、第一容器下端側係合手段３ｄは雄ねじ部材である場合もある。
第一容器３の第一容器上端側係止部３ｂには、水漏れを防止するためのパッキン６を配置してもよい。
第一容器下端側係止部３ｃにも、水漏れを防止するためのパッキン６を配置してもよい。
パッキン６は、ゴム、合成樹脂のうちのいずれか一つで形成されている。
第一容器３の側面には、図１５、図１６(ａ)に示すように、取っ手７を設置してもよい。
図１５、図１６(ａ)では、第一容器上端側係合手段３ａは嵌合部材であるが、第一容器上端側係合手段３ａはねじ部材であってもよい。
図１５、図１６(ａ)では、第一容器上端側係止部３ｂと第一容器下端側係止部３ｃには、パッキン６は設置されてはいないが、第一容器上端側係止部３ｂ、あるいは、取っ手７が側面に設置されている第一容器３の第一容器下端側係止部３ｃのうちの少なくとも一方にパッキン６を設置してもよい。
【００２４】
第二容器４は、図１３、図１４(ｂ)に示すように、円筒形の形状を有している。
ただし、第二容器４の形状は、四角柱形などのありとあらゆる形状がある。
第二容器４は、プラスチック、合成樹脂、シリコン、鉄、アルミニウム、ステンレスのうちのいずれか一つで形成されている。
第二容器４は、図１３、図１４(ｂ)に示すように、上端に第二容器上端側係合手段４ａと第二容器上端側係止部４ｂを有し、下端に底面４ｃを有する。
第二部材上端側係合手段４ａは、図１３、図１４(ｂ)に示すように、ねじ部材である。
また、ねじ部材には、雄ねじ部材と雌ねじ部材がある。
このため、第二容器下端側結合手段４ａは、雄ねじ部材、あるいは、雌ねじ部材のうちのいずれか一つである。
図１３、図１４(ｂ)では、第二部材上端側係合手段４ａが雄ねじ部材であるが、第二部材上端側係合手段４ａは雌ねじ部材である場合もある。
第二容器４の側面には、図１５、図１６(ａ)に示すように、取っ手７を設置してもよい。
図１５、図１６(ｂ)では、第二部材上端側係合手段４ａが雄ねじ部材であるが、第二部材上端側係合手段４ａは雌ねじ部材である場合もある。
図１５、図１６(ｂ)では、第二容器上端側係止部４ｂには、パッキン６は設置されてはいないが、取っ手７が側面に設置されている第二容器４の第二容器上端側係止部４ｂには、パッキン６を設置してもよい。
【００２５】
第一容器３は、図１３、図１５に示すように、蓋体２の下に設置され、蓋体２と第一容器３は、蓋体下端側係合手段２ｄと第一容器上端側係合手段３ａを係着することによって係合される。
第二容器４は、図１３、図１５に示すように、第一容器３の下に設置され、第一容器３と第二容器４は、第一容器下端側係合手段３ｄと第二容器上端側係合手段４ａを係着することによって係合される。
第一容器下端側係合手段３ｄと第二容器上端側係合手段４ａは、螺合することによって係着する。
【００２６】
第一容器下端側係合手段３ｄと第二部材上端側係合手段４ａを螺合させるために、第一容器下端側係合手段３ｄが雌ねじ部材である際には第二部材上端側係合手段４ａは、この雌ねじ部材と螺合する雄ねじ部材であり、第一容器下端側係合手段３ｄが雄ねじ部材である際には第二部材上端側係合手段４ａは、この雄ねじ部材と螺合する雌ねじ部材でなければならない。
【図面の簡単な説明】
【００２７】
【図１】冷水筒の斜視図である。
【図２】(ａ)蓋体の斜視図である。(ｂ)第一容器の斜視図である。(ｃ)第二容器の斜視図である。
【図３】冷水筒の切断側面断面図である。
【図４】(ａ)蓋体の切断側面断面図である。(ｂ)第一容器の切断側面断面図である。(ｃ)第二容器の切断断面図である。
【図５】第一容器上端側係合手段がねじ部材である冷水筒の斜視図である。
【図６】(ａ)蓋体の斜視図である。(ｂ)第一容器上端側係合手段がねじ部材である第一容器の斜視図である。(ｃ)第二容器の斜視図である。
【図７】蓋体下端側係止部、第一容器上端側係止部、第一容器下端側係止部、第二容器上端側係止部にパッキンが設置されている冷水筒の斜視図である。
【図８】(ａ)蓋体下端側係止部にパッキンが設置されている蓋体の斜視図である。(ｂ)第一容器上端側係止部、第一容器下端側係止部にパッキンが設置されている第一容器の斜視図である。(ｃ)第二容器上端側係止部にパッキンが設置されている第二容器の斜視図である。
【図９】第一容器の側面と第二容器の側面に取っ手が設置されている冷水筒の斜視図である。
【図１０】(ａ)蓋体の斜視図である。(ｂ)側面に取っ手が設置されている第一容器の斜視図である。(ｃ)側面に取っ手が設置されている第二容器の斜視図である。
【図１１】第一容器の側面と第二容器の側面に取っ手が設置されている冷水筒の切断側面断面図である。
【図１２】(ａ)蓋体の斜視図である。(ｂ)側面に取っ手が設置されている第一容器の切断側面断面図である。(ｃ)側面に取っ手が設置されている第二容器の切断側面断面図である。
【図１３】冷水筒の容器の斜視図である。
【図１４】(ａ)第一容器の斜視図である。(ｂ)第二容器の斜視図である。
【図１５】第一容器の側面と第二容器の側面に取っ手が設置されている冷水筒の容器の斜視図である。
【図１６】(ａ)側面に取っ手が設置されている第一容器の斜視図である。(ｂ)側面に取っ手が設置されている第二容器の斜視図である。
【符号の説明】
【００２８】
１    冷水筒
２    蓋体
２ａ  注出口
２ｂ  蓋栓
２ｃ  蓋体下端側係止部
２ｄ  蓋体下端側係合手段
３    第一容器
３ａ  第一容器上端側係合手段
３ｂ  第一容器上端側係止部
３ｃ  第一容器下端側係止部
３ｄ  第一容器下端側係合手段
４    第二容器
４ａ  第二容器上端側係合手段
４ｂ  第一容器上端側係止部
４ｃ  底面
５    冷水筒の容器
６    ゴムパッキン
７    取っ手
【図１】
2012110357.tif 000003
【図２】
2012110357.tif 000004
【図３】
2012110357.tif 000005
【図４】
2012110357.tif 000006
【図５】
2012110357.tif 000007
【図６】
2012110357.tif 000008
【図７】
2012110357.tif 000009
【図８】
2012110357.tif 000010
【図９】
2012110357.tif 000011
【図１０】
2012110357.tif 000012
【図１１】
2012110357.tif 000013
【図１２】
2012110357.tif 000014
【図１３】
2012110357.tif 000015
【図１４】
2012110357.tif 000016
【図１５】
2012110357.tif 000017
【図１６】
2012110357.tif 000018